【手続補正書】
【提出日】令和2年1月17日(2020.1.17)
【手続補正１】
【補正対象書類名】特許請求の範囲
【補正対象項目名】全文
【補正方法】変更
【補正の内容】
【特許請求の範囲】
【請求項１】
フルオロポリマー物品の製造方法であって、フルオロポリマー粒子を含む組成物を、少なくとも１つのエネルギー源を含む積層プロセスデバイス内にて積層プロセスに供すること、を含み、
前記フルオロポリマーが、テトラフルオロエチレンホモポリマー、１重量％以下のペルフッ素化α−オレフィンコモノマーを含有するテトラフルオロエチレコポリマー、及び前記ポリマーの重量に基づいて１重量％より多く３０重量％以下のペルフッ素化コモノマー、部分フッ素化コモノマー、及び非フッ素化コモノマーを含有するテトラフルオロエチレンコポリマーからなる群から選択され、
前記組成物が、前記積層プロセスデバイスの前記エネルギー源に暴露された前記組成物の一部において前記フルオロポリマー粒子を結合させて層を形成可能な少なくとも１種のバインダ材料を含み、前記方法は、前記組成物の一部を前記エネルギー源に暴露することで、層を形成すること、を含み、前記バインダ材料は重合性であって、前記組成物を前記積層プロセスデバイスの前記エネルギー源に暴露すると重合によって固化する、方法。
【請求項２】
前記エネルギー源が、電磁照射から選択される、請求項１に記載の方法。
【請求項３】
前記組成物が、約５０〜５００ｎｍのｚ−平均粒子径を有するフルオロポリマー粒子を含む、請求項１に記載の方法。
【請求項４】
前記組成物が、フルオロポリマー粒子の水性分散体を含む、請求項１に記載の方法。
【請求項５】
前記組成物が、押出可能なペーストである、請求項１に記載の方法。
【請求項６】
前記フルオロポリマーが、３７２℃及び５ｋｇの荷重で、１ｇ／１０分未満のメルトフローインデックスを有する、請求項１に記載の方法。
【請求項７】
前記フルオロポリマーが、３７２℃及び５ｋｇの荷重で、１ｇ／１０分〜５０ｇ／１０分のメルトフローインデックスを有する、請求項１に記載の方法。
【請求項８】
前記フルオロポリマーが、前記ポリマーの重量に基づいて、１重量％より多く３０重量％以下のペルフッ素化コモノマー、部分フッ素化コモノマー及び非フッ素化コモノマーを含有する、テトラフルオロエテンコポリマーであり、前記フルオロポリマーが、２６０℃〜３１５℃の間の融点を有する、請求項１に記載の方法。
【請求項９】
前記バインダ材料が、重合性不飽和結合を含む、請求項１に記載の方法。
【請求項１０】
前記バインダ材料が、アクリレート及びメタクリレートから選択される重合性基を含む、請求項１に記載の方法。
【請求項１１】
好ましくは前記フルオロポリマーの焼結を含む、前記バインダ材料を除去するための少なくとも１つの熱処理、を更に含む、請求項１に記載の方法。
【請求項１２】
（ｉ）前記フルオロポリマー粒子及び前記バインダ材料及び任意に他の成分を含有する、前記組成物を提供する工程、
（ｉｉ）（ａ）積層造形デバイスのエネルギー源からのエネルギーを３Ｄ印刷可能な組成物の選択した位置に向け、前記バインダ材料を重合及び固化させ、フルオロポリマー粒子を結合させること、又は（ｂ）前記３Ｄ印刷可能な組成物の選択した位置を前記エネルギー源に向け、前記バインダ材料を重合及び固化させ、フルオロポリマー粒子を結合させること、又は（ａ）及び（ｂ）の組み合わせのいずれかによって、前記バインダ材料を重合及び固化させることで、フルオロポリマー粒子を結合させる工程、
（ｉｉｉ）（ｃ）前記エネルギー源を、前記３Ｄ印刷可能な組成物から離すように向けること、又は（ｄ）前記３Ｄ印刷可能な組成物を前記エネルギー源から離すように向けること、又はその両方のいずれかで、前記バインダ材料が非選択の位置において重合することを防ぐ工程、又は（ｃ）及び（ｄ）の組み合わせ、
（ｉｖ）工程（ｉｉ）及び（ｉｉｉ）並びに必要に応じてまた工程（ｉ）を繰り返すことで、複数の層を形成し、物品を作製する工程を含む、請求項１に記載の方法。
【請求項１３】
積層プロセスによって物品を製造するための組成物であって、前記組成物は、フルオロポリマー粒子を含み、且つ前記組成物が積層プロセスデバイスのエネルギー源からのエネルギーに暴露されると、重合及び固化してフルオロポリマー粒子を結合させることにより、フルオロポリマー粒子を結合可能な重合性バインダ材料を含み、前記フルオロポリマーが、テトラフルオロエチレンホモポリマー、１重量％以下のペルフッ素化α−オレフィンコモノマーを含有するテトラフルオロエチレコポリマー、及び前記ポリマーの重量に基づいて１重量％より多く３０重量％以下のペルフッ素化コモノマー、部分フッ素化コモノマー、及び非フッ素化コモノマーを含有するテトラフルオロエチレンコポリマーからなる群から選択される、組成物。
【請求項１４】
前記フルオロポリマーが、前記ポリマーの重量に基づいて、１重量％より多く３０重量％以下のペルフッ素化コモノマー、部分フッ素化コモノマー及び非フッ素化コモノマーを含有する、テトラフルオロエテンコポリマーであり、前記フルオロポリマーは、２６０℃〜３１５℃の間の融点を有する、請求項１３に記載の組成物。
【請求項１５】
前記バインダ材料が、重合性不飽和結合を含む、請求項１３に記載の組成物。
【請求項１６】
前記バインダ材料が、アクリレート及びメタクリレートから選択される重合性基を含む、請求項１３に記載の組成物。
【請求項１７】
積層プロセスにおける、請求項１３の組成物の使用。
【請求項１８】
３Ｄ印刷されたフルオロポリマーであって、前記３Ｄ印刷されたフルオロポリマーが、２．００ｇ／ｃｍ３を上回る密度、及び／又は２００％未満、好ましくは１％〜１８５％の間、より好ましくは２０％未満、最も好ましくは１％〜１５％の間の空隙率を有し、前記フルオロポリマーは、３７２℃及び５ｋｇの荷重で、５０ｇ／１０分未満、好ましくは１ｇ／１０分未満、より好ましくは０．１ｇ／１０分未満のメルトフローインデックスを有する、３Ｄ印刷されたフルオロポリマー。
【請求項１９】
偏光顕微鏡法により測定すると、少なくとも１つの面配向において２０％以下、好ましくは１０％以下の配向度を有する、請求項１８に記載の３Ｄ印刷されたフルオロポリマー。
【請求項２０】
ｘ−ｙ平面内において５０％未満、好ましくは２０％未満の、その平面のｘ及びｙ方向におけるＳＶＩインデックスの比により決定される異方性を有する、請求項１８に記載の３Ｄ印刷されたフルオロポリマー。
【請求項２１】
少なくとも１００％の破断点伸び、及び／又は少なくとも５Ｍｐａの引張り強度を有する、請求項１８に記載の３Ｄ印刷されたフルオロポリマー。
【請求項２２】
前記フルオロポリマーが、テトラフルオロエテンホモポリマー、１重量％以下のペルフッ素化α−オレフィンコモノマーを含有するテトラフルオロエテンコポリマー、及び前記ポリマーの重量に基づいて、１重量％より多く３０重量％以下のペルフッ素化コモノマー、部分フッ素化コモノマー及び非フッ素化コモノマーを含有するテトラフルオロエテンコポリマーからなる群から選択される、請求項１８に記載の３Ｄ印刷されたフルオロポリマー。
【請求項２３】
請求項１８に記載の３Ｄ印刷されたフルオロポリマーを含む、物品。
【請求項２４】
ベアリング、ガスケット、シール、バルブ、バルブシート、コネクタ、蓋、容器、医療用インプラント、化学反応器、スクリュー、はめば歯車、継手、ボルト、ポンプ、電極、熱交換器、ミキサー、タービン、変圧器、電気絶縁体及び押出機又は構成部品からなる群から選択される、請求項２３に記載の物品。
【請求項２５】
前記フルオロポリマーが、１つ以上のチャネル、１つ以上のアンダーカット、１つ以上の穿孔及びこれらの組み合わせを含むように成形されている、請求項２３に記載の物品。
【請求項２６】
一体型物品であり、成形フルオロポリマーが、ハニカム構造及び本質的に中空の構造から選択される、１種以上の構造を構成する、請求項２３に記載の物品。
【請求項２７】
請求項１に記載の方法により得られる、請求項２３に記載の物品。